(57)【要約】      （修正有）【課題】根がかりしないとともに魚の食いつきの良い釣り用おもりを提供する。【解決手段】本考案に係る釣り用おもりは、水中で適宜時間の経過後に溶解する特性を有する容器１（例えば、水溶性のカプセル）の中に、比重の大きい物質（高比重物質）を充填したことを特徴とする。根がかりの主要原因となっていたおもり部分が、水中に投じられた後に水に溶けてなくなるので、根がかりの心配がいらない。さらに、道糸８との連結部分に鎖４を用い、魚の注意を惹きつける構成とした。【選択図】図１
0003104964.tif 000002
【実用新案登録請求の範囲】
【請求項１】
水溶性の容器内に重質の物質を入れてなるおもり。
【請求項２】
道糸と連結する鎖を有する請求項１記載のおもり。
【考案の詳細な説明】
【技術分野】
【０００１】
本考案は、魚釣りの仕掛けに用いるおもりに関するものである。
【背景技術】
【０００２】
従来、魚釣りの仕掛けとして利用されているおもりは、水中に投入した糸をたぐり寄せる際に、岩や石あるいは海草等の障害物に引っかかってしまい、おもりはもとより仕掛け全体、さらには釣り針にかかった魚をも、失ってしまうことがあった。
【０００３】
このような、いわゆる「根がかり」しない釣り用おもりの考案として、根がかりしても容易に脱出できる構造としたおもり（例えば、特許文献１や特許文献２）や、柔軟性の袋やカプセル等に鉛等の重量物を入れたおもり（例えば、特許文献３や特許文献４参照）が考案されている。
【特許文献１】実公昭４９−２６１５５号公報
【特許文献２】実公昭５１−５４２４号公報
【特許文献３】実公昭４４−１３１０６号公報
【特許文献４】実開昭５３−８９４８９号公報
【考案の開示】
【考案が解決しようとする課題】
【０００４】
本考案が解決しようとする課題は、根がかりしないとともに魚の食いつきの良い釣り用おもりを提供することにある。
【課題を解決するための手段】
【０００５】
本考案は、重質の物質を容器に充填した構造の釣り用おもりにおいて、該容器が水溶性であることを最も主要な特徴とする。
【０００６】
請求項１に記載の考案は、水溶性の容器内に重質の物質を入れてなるおもりである。
水中で適宜時間の経過後に溶解する特性を有する容器（例えば、水溶性のカプセル）の中に、水または海水より比重の大きい物質（以下、高比重物質と記す。）を充填した構造のおもりであり、使用方法は従来のおもりと同様である。
【０００７】
本考案のおもりは、水中に投げ入れられた後、予定した時間の経過にともない容器が溶解し、容器内の充填物を水中あるいは水底に放散して、おもりがなくなる。この容器内に高比重物質とともに魚を集める香料の粉末や餌を混入しておくと、容器の溶解とともにそれらが水中に放散されて、魚を集めることもできる。
【０００８】
容器内に充填する物質は、水中に放散されても有害とならない物質を用いると、環境にも悪影響を与えなくてよい。また、高比重物質は、固体に限定するものではない。
【０００９】
請求項２に記載の考案は、請求項１に記載の、水溶性の容器の中に高比重物質を充填した構造からなるおもりであって、道糸との連結部分に鎖を有するおもりである。鎖には、適度な重さを有するものを用いる。
【考案の効果】
【００１０】
請求項１に記載のおもりは、根がかりの主要原因となつていたおもり部分が、水中に投じられた後に水に溶けてなくなるので、根がかりの心配がいらない。
また、容器内に魚を集める香料の粉末や撒き餌を混入しておくと、おもりが溶けるとともに水中に放散するので、餌や香料の粉末を人手によってまき散らす手間が省ける。
【００１１】
請求項２に記載のおもりは、水溶性の容器を使用しているため、水中に投じられた後、時間の経過とともに水に溶けてなくなり、鎖部分が残ることとなる。残った鎖部分は、適度な重さがあるため、釣り針に取り付けられた餌とともに水中を漂うこととなり、魚にとって目に付きやすく、魚をおびき寄せて食いつきをよくする効果がある。
【考案を実施するための最良の形態】
【００１２】
以下、図面を参照して本考案に係る釣り用おもりの実施例について説明する。なお、図面においては、釣り針に餌を描画していないが、魚の種別によっては餌を要しないものもあるため、省略したものである。
【００１３】
図１に示すように、水溶性の容器としてカプセル１を用い、カプセル内には高比重物質からなる小球２を充填する（図２および図３参照）。
【００１４】
本実施例においては、カプセル内の高比重物質を小球としてあるが、形状、大きさはカプセルに収まるものであれば、どのようなものでもかまわない。
また、高比重物質としては、従来の鉛に代表される金属材質を用いてもよいが、最近では樹脂からなる高比重物質が存在しており、この高比重樹脂を利用すると、金属による環境汚染を回避できる。
【００１５】
小球２のほかに、魚を寄せ付ける粉末状の香料３をカプセル１内に入れることで、カプセルの溶解とともに中の香料も溶け出し、仕掛けの周辺に魚を集めることとなる。また、カプセル１内には、撒き餌を混入してもよい。
【００１６】
カプセル１は、適宜時間経過後に水に溶ける性質を有する容器であるが、これは、薬を体内に取り入れるために使用するカプセルと同様の製法によって作成することができる。この製法によるカプセルであれば、溶解に要する時間を予定して作成することも可能であるし、溶解しても環境に悪影響を及ぼすことはない。
【００１７】
カプセル１は、道糸８との連結部分に金属製の輪をひも状につないだ鎖４が取り付けてある。この鎖４は、適度な自重を有するものを用い、カプセル１が溶解した後、釣りの仕掛けと共に水中を漂うようにする。これにより、針に取り付けた餌が移動することと鎖４が自在にくねりながら水中を漂うことで魚の注意を引きつけて、魚の食いつきをよくする。
【００１８】
鎖４のカプセル側には環５があり、環５に係合させる機構を有する掛止具７によってカプセル１に接続される。カプセル１が溶解した後には、鎖４と環５および掛止具７が残ることとなる。
【００１９】
カプセル１は、あらかじめ掛止具７を取り付けた構造とし、次のおもりを装着する時には、掛止具７を環５に係合して用いることも可能としている。勿論、鎖４を含めた本考案に係るおもり一式を、まるごと付け替えて使用することもできる。
【００２０】
図５は、本考案に係るおもりを、中通しタイプとしたときの図である。
【００２１】
カプセル１内に通した糸６は、掛止具７と、カプセル１を抜けた位置にある環５結ぶように取り付けてあり、カプセル１が溶解した後も鎖４から釣り針までは繋がって残ることとなる。
【００２２】
無論、上記の釣り用おもりは実施例のひとつであって、本考案に係る釣り用おもりはこの形態に限定されるものではない。
【図面の簡単な説明】
【００２３】
【図１】本考案に係る釣り用おもりの全体図である。
【図２】図１のＡ−Ａ位置における断面図である。
【図３】おもりの内部を示す図である。
【図４】おもりが溶解した後の状態を示す図である。
【図５】本考案に係るおもりを中通しタイプにした図である。
【符号の説明】
【００２４】
１    カプセル
２    小球
３    粉末状香料
４    鎖
５    環
６    糸
７    掛止具
８    道糸
【図１】
0003104964.tif 000003
【図２】
0003104964.tif 000004
【図３】
0003104964.tif 000005
【図４】
0003104964.tif 000006
【図５】
0003104964.tif 000007